(57)【特許請求の範囲】
【請求項１】
天井からの看板吊下げ構造において、
天井裏の二本以上の野縁の上に架設材が架設され、
当該架設材に、細長の天吊り棒が二本以上、天井板よりも下方まで突出して吊下げられ、
前記二本以上の天吊り棒の下端側に、天吊り枠が連結具により連結され、
前記天吊り枠は少なくとも二本の縦材と少なくとも二本の横材で方形枠状に形成され、
前記連結具は縦スライド板と傾斜スライド板が任意の角度で連結されており、
前記天吊り枠は、前記連結具の縦スライド板を二本の天吊り棒の夫々の下端側に取付け、当該連結具の傾斜スライド板を天吊り枠の少なくとも二本の縦材の夫々に取付けることにより、天吊り棒の下端側にして斜め下向きに前傾して取付けられ、
看板が前記前傾の天吊り枠の横材に係止されて前傾し、前記横材への係止が脱着可能であり、横材の軸方向に移動可能であり、その係止位置を移動することにより横材への看板の係止位置を変更可能である、
ことを特徴とする天井からの看板吊下げ構造。
【請求項２】
請求項１記載の天井からの看板吊下げ構造において、
連結具の縦スライド板が二本の天吊り棒の夫々の下端側に昇降スライド可能に取付けられ、当該連結具の傾斜スライド板が天吊り枠の少なくとも二本の縦材の夫々に斜めスライド可能に取付けられることにより、前記天吊り棒への縦スライド板の取付け位置と、前記縦材への傾斜スライド板の取付け位置を変えることにより、天吊り棒への天吊り枠の取付け高さ位置を変えることができる、
ことを特徴とする天井からの看板吊下げ構造。
【請求項３】
請求項１又は請求項２記載の天井からの看板吊下げ構造において、
連結具は夫々の天吊り棒と天吊り枠の夫々の縦材に、上下に離して二つずつ取付けられ、
前記二つずつの連結具のうち、下方の連結具の縦スライド板は天吊り棒の背面にその軸方向に昇降スライド可能に取り付けられ、傾斜スライド板は天吊り枠の縦材の背面にその軸方向に斜めスライド可能に取り付けられ、上方の連結具の縦スライド板は天吊り棒の前にその軸方向に昇降スライド可能に取り付けられ、傾斜スライド板は天吊り枠の縦材の背面にその軸方向に斜めスライド可能に取り付けられ、
前記天吊り棒と縦材への縦スライド板と傾斜スライド板の双方又はいずれか一方の取付け位置を変えることにより、天吊り枠の前傾角度と高さの双方又はいずれか一方の調節が可能である、
ことを特徴とする天井からの看板吊下げ構造。
【請求項４】
請求項３記載の天井からの看板吊下げ構造において、
背面に取付けられた縦スライド板の高さ位置を変えずに、他方の縦スライド板の高さを高くすることにより、天吊り枠が起き上がって前傾角度が小さくなり、前面に取付けられた縦スライド板の高さ位置を変えずに、背面に取付けられた縦スライド板の高さを高くすることにより、天吊り枠が前下がりになって前傾角度が大きくなって、その天吊り枠の横材に係止されている看板の前傾角度を調節可能である、
ことを特徴とする天井からの看板吊下げ構造。
【請求項５】
看板を天井から吊下げるための看板吊下げ具において、
少なくとも、天井裏の二本以上の野縁の上に架設された架設材に吊下げられる天吊り棒と、天吊り棒の下端側に取付けられて看板を支持する天吊り枠と、天吊り棒へ天吊り枠を取り付ける連結具を備え、
前記天吊り棒は少なくとも二本以上であり、天吊り枠は縦材と横材がそれぞれ二本以上であり、連結具が四つ以上であり、
前記天吊り棒は天井板よりも下方まで突出可能な細長であり、
前記天吊り枠の縦材と横材は方形枠状に組むことができる長さであり、
前記連結具は天吊り棒に取付ける縦スライド板と、天吊り枠の縦材に取付ける傾斜スライド板を備え、それら縦スライド板と傾斜スライド板が角度調整可能に任意の角度で連結されており、
前記四つの連結具は二本の天吊り棒の夫々の下端側に上下に離して二つずつ昇降スライド可能に取付けることができ、それら連結具の縦スライド板は天吊り棒にその軸方向にスライド可能に取付けることができ、傾斜スライド板は天吊り枠の少なくとも縦材にその軸方向にスライド可能に取付けることができる、
ことを特徴とする看板吊下げ具。
【発明の詳細な説明】
【技術分野】
【０００１】
本発明は、天井からの看板の吊下げ構造と看板吊下げ具に関し、特に、アイスクリーム販売専門店、コンビニエンスストア、ファストフード店等の各種店舗に装備される看板（内照式看板を含む）の吊下げに適するものである。
【背景技術】
【０００２】
前記した店舗をはじめとする各種の店舗の店内には、商品写真や料金等を表示したパネル（情報パネル）がセットされた吊り看板が掲げられていることがある。吊り看板の一例として、例えば、天井に固定したワイヤーで吊下げるもの（特許文献１）、チェーンで吊下げるもの（特許文献２）等が知られている。
【先行技術文献】
【特許文献】
【０００３】
【特許文献１】特開２０００−３３８８８５号公報
【特許文献２】特開平８−１２３３２８号公報
【発明の概要】
【発明が解決しようとする課題】
【０００４】
前記特許文献１、２に記載の吊り看板は、天井に吊下げるだけのものであるため、重い看板の吊下げには適さない。特許文献１、２のいずれも、看板を床面に対して垂直に取り付けるものであるため店内の客から見難い。特許文献１の吊り看板は天井に固定されたフックにワイヤーで吊下げる方式であるため横に揺れたり、傾いたり、位置ずれしたりしやすい。特許文献２の吊り看板は前記傾きの問題はないが、傾きを防止するための構造が複雑である。
【０００５】
本発明の解決課題は、耐荷重性に優れ、重い看板でも、大型看板でも吊下げ可能であり、吊下げ状態が安定し、構成が簡潔で設置に手間がかからず、看板を見やすい高さ、斜め下向き角度に調節することができる看板吊下げ構造と看板吊下げ具を提供することにある。
【課題を解決するための手段】
【０００６】
本発明の天井からの看板吊下げ構造は、天井からの看板吊下げ構造において、天井裏の二本以上の野縁の上に架設材が架設され、当該架設材に、細長の天吊り棒が二本以上、天井板よりも下方まで突出して吊下げられ、前記二本以上の天吊り棒の下端側に、天吊り枠が連結具により連結され、前記天吊り枠は少なくとも二本の縦材と少なくとも二本の横材で方形枠状に形成され、前記連結具は縦スライド板と傾斜スライド板が任意の角度で連結されており、前記天吊り枠は、前記連結具の縦スライド板を二本の天吊り棒の夫々の下端側に取付け、当該連結具の傾斜スライド板を天吊り枠の少なくとも二本の縦材の夫々に取付けることにより、天吊り棒の下端側にして斜め下向きに前傾して取付けられ、看板が前記前傾の天吊り枠の横材に係止されて前傾し、前記横材への係止が脱着可能であり、横材の軸方向に移動可能であり、その係止位置を移動することにより横材への看板の係止位置を変更可能なものである。
【０００７】
前記天井からの看板吊下げ構造は、連結具の縦スライド板が二本の天吊り棒の夫々の下端側に昇降スライド可能に取付けられ、当該連結具の傾斜スライド板が天吊り枠の少なくとも二本の縦材の夫々に斜めスライド可能に取付けられることにより、前記天吊り棒への縦スライド板の取付け位置と、前記縦材への傾斜スライド板の取付け位置を変えることにより、天吊り棒への天吊り枠の取付け高さ位置を変えることができるものであってもよい。
【０００８】
前記天井からの看板吊下げ構造は、連結具が夫々の天吊り棒と天吊り枠の夫々の縦材に、上下に離して二つずつ取付けられ、前記二つずつの連結具のうち、下方の連結具の縦スライド板は天吊り棒の背面にその軸方向に昇降スライド可能に取り付けられ、傾斜スライド板は天吊り枠の縦材の背面にその軸方向に斜めスライド可能に取り付けられ、上方の連結具の縦スライド板は天吊り棒の前にその軸方向に昇降スライド可能に取り付けられ、傾斜スライド板は天吊り枠の縦材の背面にその軸方向に斜めスライド可能に取り付けられ、前記天吊り棒と縦材への縦スライド板と傾斜スライド板の双方又はいずれか一方の取付け位置を変えることにより、天吊り枠の前傾角度と高さの双方又はいずれか一方の調節が可能なものであってもよい。
【０００９】
前記天井からの看板吊下げ構造は、背面に取付けられた縦スライド板の高さ位置を変えずに、他方の縦スライド板の高さを高くすることにより、天吊り枠が起き上がって前傾角度が小さくなり、前面に取付けられた縦スライド板の高さ位置を変えずに、背面に取付けられた縦スライド板の高さを高くすることにより、天吊り枠が前下がりになって前傾角度が大きくなって、その天吊り枠の横材に係止されている看板の前傾角度を調節可能なものである、
【００１０】
本発明の看板を天井から吊下げるための看板吊下げ具は、少なくとも、天井裏の二本以上の野縁の上に架設された架設材に吊下げられる天吊り棒と、天吊り棒の下端側に取付けられて看板を支持する天吊り枠と、天吊り棒へ天吊り枠を取り付ける連結具を備え、前記天吊り棒は少なくとも二本以上であり、天吊り枠は縦材と横材がそれぞれ二本以上であり、連結具が四つ以上であり、前記天吊り棒は天井板よりも下方まで突出可能な細長であり、前記天吊り枠の縦材と横材は方形枠状に組むことができる長さであり、前記連結具は天吊り棒に取付ける縦スライド板と、天吊り枠の縦材に取付ける傾斜スライド板を備え、それら縦スライド板と傾斜スライド板が角度調整可能に任意の角度で連結されており、前記四つの連結具は二本の天吊り棒の夫々の下端側に上下に離して二つずつ昇降スライド可能に取付けることができ、それら連結具の縦スライド板は天吊り棒にその軸方向にスライド可能に取付けることができ、傾斜スライド板は天吊り枠の少なくとも縦材にその軸方向にスライド可能に取付けることができるものである。
【発明の効果】
【００１１】
本発明の天井からの看板吊下げ構造には次の効果がある。
（１）天吊り棒が野縁の上に架設した架設材に取り付けられているので、耐荷重性が向上し、重い看板、例えば、内照式看板を吊下げても天井板が抜けるようなことがない。
（２）架設材は野縁に固定することなく載せるだけで安定するので、架設材の設置が容易である。また、長尺な野縁の軸方向任意の箇所に架設して看板を吊下げることができ、吊下げ位置の選択幅が広がる。
（３）天井裏の建物躯体を改装することなく、既存の野縁に天吊り棒を吊下げることができるので、吊下げが容易であり、店舗の閉店後或いは客の少ない時間帯内に迅速に吊下げ作業ができる。
（４）看板の高さ調節と前傾角度調節の双方、又は、少なくとも前傾角度調節ができるため、下から見やすい高さ及び前傾角度に、又は下から見やすい前傾角度に調節することができる。
【００１２】
本発明の看板枠吊下げ具には次の効果がある。
（１）天吊り棒を野縁の上に架設した架設材に手軽に吊下げることができる。
（２）連結具が高さ及び天吊り枠の前傾角度の双方、又は、少なくとも前傾角度調節を調節可能な調節機構を備えているので、天吊り枠に取り付ける看板の前傾角度を下から見易い高さ及び角度に、又は下から見やすい前傾角度に容易に調節できる。
【図面の簡単な説明】
【００１３】
【図１】本発明の天井からの看板枠吊下げ構造の一例を示す説明図。
【図２】本発明の天井からの看板吊下げ構造部分の背面斜視図。
【図３】（ａ）は図２の看板吊下げ構造において看板を取り付ける前の状態の側面図、（ｂ）は看板を取り付けた状態の側面図。
【図４】（ａ）は二つの調節機構を天吊り棒の前面と背面に取り付けた状態の斜視図、（ｂ）は天吊り棒の前面に取り付ける調節機構の斜視図、（ｃ）は天吊り棒の背面に取り付ける調節機構の斜視図。
【図５】（ａ）、（ｂ）は天吊り棒に用いるアルミフレームの異なる例を示す端面図、（ｃ）は天吊り枠に用いるアルミフレームの一例を示す端面図。
【発明を実施するための形態】
【００１４】
（天井からの看板吊下げ構造の実施形態）
本発明の天井からの看板吊下げ構造（以下、単に「吊下げ構造」という）の一例を、図面を参照して説明する。
【００１５】
アイスクリーム販売専門店やコンビニエンスストア等の店舗の天井裏には、通常、図１に示すように、吊り具Ｖで吊るされた野縁受けＷがあり、野縁受けＷに複数本の野縁Ｘが格子状に配置連結されている。本発明の吊下げ構造は、前記野縁Ｘを利用して看板を吊下げたものである。
【００１６】
図１に示す吊下げ構造は、平行に配置されている二本以上の野縁Ｘの上に渡して、細長の架設材１が架設され、その架設材１に棒状或いはパイプ状の天吊り棒２の上端側が取り付けられ、天吊り棒２の下端側に天吊り枠３が二つの連結具４で取り付けられている。天吊り棒２は野縁Ｘの下の天井板を貫通してその下方に突出する。天井板の貫通孔はドーナツ型のフランジＵ（図１）で閉塞される。天吊り枠３は看板５（図２）を支持するものである。
【００１７】
［架設材］
前記架設材１には既存のチャンネル材を必要長に切断して使用することができる。図１に示す架設材１はコ字型のチャンネル材である。架設材１には天吊り棒２、天吊り枠３、看板５を支持するのに耐え得る強度、材質のチャンネル材を使用する。
【００１８】
［天吊り棒］
天吊り棒２にはアルミパイプが使用され、その上端にねじ込んだボルトを前記架設材１にねじ込み、ボルト、ナット等を用いて固定してある。天吊り棒２には、例えば、図５（ａ）に示すようなアルミフレームを用いることができる。このアルミフレームは円形の中空パイプ６の両側面に凹溝７があり、凹溝７の外側に鍔８が内向きに突設されて、凹溝７内に嵌入される板材を支持できるようにしてある。中空パイプ６の孔には図３（ａ）、（ｂ）に示すようにネジ棒９をネジ込むことができる。凹溝７及び鍔８はアルミフレームの長手方向に沿って形成されている。
【００１９】
天吊り棒２には他の形状、構造のアルミフレーム、例えば、図５（ｂ）に示すようなアルミフレームを用いることができる。これは円形の中空パイプ６の四方外周面に凹溝７があり、凹溝７の外側に鍔８が内向きに突設されて、凹溝７内嵌入されるに板材を支持できるようにしてある。中空パイプ６の孔には図３（ａ）、（ｂ）に示すようにネジ棒９をネジ込み可能である。この凹溝７及び鍔８もアルミフレームの長手方向に沿って形成されている。
【００２０】
［天吊り枠］
天吊り枠３は図２に示すように、横向きに平行に配置された上下二本の横材１０が縦向きに平行に配置された二本の縦材１１で連結されて横長長方形に形成されており、その前面に看板５を取り付けられるようにしてある。二本の縦材１１は二本の横材１０の長手方向両端よりも内側に設けてある。横材１０と縦材１１との連結には汎用の或いは専用の連結治具（図示しない）を用いることができる。
【００２１】
横材１０や縦材１１にはアルミフレームを用いることができ、例えば、図５（ｃ）に示す形状、構造のものを用いることができる。このパイプは端面形状略長方形であり、上下両面と両側面の夫々に凹溝７を備え、凹溝７の外側に鍔８が突設されて、夫々の凹溝７内に嵌入される板材を支持できるようにしてある。
【００２２】
［連結具］
前記連結具４は、図４（ａ）に示すように、天吊り棒２の下端部に天吊り枠３を前傾角度で取り付けることができ、天吊り枠３の高さと前傾角度を調節することができるものである。図４（ｂ）、（ｃ）に示す連結具４は同じものであり、前面側と背面側から見たものである。この連結具４は天吊り棒２の凹溝７内に嵌入されて縦方向にスライド可能な縦スライド板１２と、天吊り枠３の縦材１１の凹溝７内に嵌入されて斜め上下方向にスライド可能な傾斜スライド板１３を備えている。縦スライド板１２には縦突板１４がＴ字状に突設され、傾斜スライド板１３には傾斜突板１５がＴ字状に突設されている。縦突板１４と傾斜突板１５をピン１６で回転可能に連結することにより、縦突板１４と傾斜突板１５がピン１６を回転軸として回転動作（回動）可能に連結されている。
【００２３】
［天吊り棒と天吊り枠の連結構造］
図２のように、二本の天吊り棒２の夫々の下端側に天吊り枠３を連結してある。この場合、それぞれの天吊り棒２の下端側に同じ形状、構造の連結具４を二つ使用して天吊り枠３を連結してある。具体的には図３、図４（ａ）のように、二つの連結具４の夫々の縦スライド板１２（図４（ａ））を、天吊り棒２の前面の凹溝７ａと背面の凹溝７ｂに嵌入してネジ止めし、二つの連結具４の夫々の傾斜スライド板１３（図４（ａ））を天吊り枠３の縦材１１の凹溝７ｃ（図４（ａ））内に嵌入してネジ止めすることにより、天吊り棒２の下端側に天吊り枠３を吊下げる。この場合、天吊り棒２の前面の凹溝７ａ(図３（ａ）（ｂ））に嵌入した縦スライド板１２の高さ位置を、天吊り棒２の背面の凹溝７ｂ(図３（ａ）（ｂ））に嵌入した縦スライド板１２の高さ位置よりも高くすることにより、天吊り枠３が天吊り棒２の軸線よりも斜め下向きに図３（ｂ）の角度αだけ前傾し、天吊り枠３の前面に図３（ａ）、（ｂ）のように取り付ける看板５も斜め下向きに図３（ｂ）の角度αだけ前傾する。
【００２４】
［天吊り枠の高さ調節と前傾角度調整］
図２、図３（ａ）、（ｂ）のように、前傾状態に取り付けられた天吊り枠３は、天吊り棒２の前面の凹溝７ａに嵌入した縦スライド板１２の高さと、天吊り棒２の背面の凹溝７ｂに嵌入した縦スライド板１２の高さを変えることにより高さ調節することができる。この場合、両縦スライド板１２を平行にして同じ寸法だけ上昇させることにより、天吊り枠３を同じ前傾角度αのまま高くすることができ、両縦スライド板１２を平行にして同じ寸法だけ降下させることにより天吊り枠３を同じ前傾角度αのまま低くすることができる。
【００２５】
図３（ａ）（ｂ）のように天吊り棒２の凹溝７ａ、７ｂに取付けた連結具４の前記両縦スライド板１２のいずれか一方の高さ位置を変えることにより前傾角度αを変えることができる。一例として、天吊り棒２の背面の凹溝７ｂに嵌入した縦スライド板１２の位置を変えずに、天吊り棒２の前面の凹溝７ａに嵌入した縦スライド板１２の高さを高くすることにより、天吊り枠３が起き上がって図３（ｂ）の前傾角度αが小さくなり、逆に、天吊り棒２の前面の凹溝７ａに嵌入した縦スライド板１２の位置を変えずに、天吊り棒２の背面の凹溝７ｂに嵌入した縦スライド板１２の高さを高くすることにより、天吊り枠３が前下がりになって前傾角度αが大きくなる。このように、天吊り枠３を高さ調節したり前傾角度を調節したりして下方から見易い高さと前傾角度に調節することができる。これら調節の詳細を以下に説明する。
【００２６】
（天吊り枠の高さを変える場合）
天吊り枠３を高さ調節する場合は、天吊り棒２の前面の凹溝７ａ内に縦スライド板１２を固定しているネジと、天吊り棒２の背面の凹溝７ｂ内に縦スライド板１２を固定しているネジのいずれか一方を取り外してから、その縦スライド板１２を上昇または降下させて所定位置でネジ止めし、他方のネジを取り外して、その縦スライド板１２を上昇または降下させてから所定位置でネジ止めすることにより、天吊り枠３を高さ調節することができる。このとき、天吊り棒２の前面の凹溝７ａ内に嵌入されている縦スライド板１２の上昇長又は降下長と、天吊り棒２の背面の凹溝７ｂ内に嵌入されている縦スライド板１２の上昇長又は降下長を同じにすると、天吊り枠３は前記前傾角度αが維持されたまま昇降する。
【００２７】
（天吊り枠の前傾角度を小さく（角度αを小さく）する場合）
天吊り枠３の前傾角度を小さくする場合は、前記のように、天吊り棒２の背面の凹溝７ｂ内に嵌入されている縦スライド板１２の位置をそのままにして、天吊り棒２の前面の凹溝７ａ内に嵌入されている縦スライド板１２を止めているネジを取り外してから、その縦スライド板１２を上昇スライドさせてその位置を高くすればよい。
【００２８】
（天吊り枠の前傾角度を大きく（角度αを大きく）する場合）
天吊り枠３の前傾角度を大きくする場合は、前記のように、天吊り棒２の背面の凹溝７ｂ内に嵌入されている縦スライド板１２の位置をそのままにして、天吊り棒２の前面の凹溝７ａ内に嵌入されている縦スライド板１２を止めているネジを取り外してから、その縦スライド板１２を降下スライドさせてその位置を低くすればよい。
【００２９】
（看板吊下げ具の実施形態）
本発明の看板吊下げ具は、少なくとも、前記天吊り棒２、天吊り枠３、連結具４により構成されるものである。
【００３０】
（看板の取り付け）
前記天吊り枠３には看板５を取り付けることができる。看板５はＬＥＤとか他の照明具が内蔵された照明式看板（内照式看板）や、照明具のない看板であってもよい。図３（ａ）、（ｂ）に示す実施例の看板５は内照式看板（照明看板）であり、枠本体１７の前面にパネル枠１９を脱着自在とした分離式看板のものである。この照明式の看板５は枠本体１７内にＬＥＤや蛍光灯等の照明具や電源回路等が内装されている。枠本体１７の裏面は裏蓋２１で被覆されている。パネル枠１９には商品写真や価格等が表示されているパネル１８がセットされ、その外側に保護カバー２２がセットされており、前記照明具からの光により背面から照明されるようにしてある。
【００３１】
図２、図３（ａ）、（ｂ）の枠本体１７の背面上部と背面下部の四隅付近にフックＦが取り付けられ、背面上部のフックＦが前記天吊り枠３の上横材１０に、背面下部のフックＦが前記天吊り枠３の下横材１０に夫々係止できるようにしてある。
【００３２】
［看板枠］
図３（ａ）に示すパネル枠１９は、四本のアルミ製のフレーム材で四角形に形成されており、フレーム材２０（図１）で囲われた内側空間にパネル１８、保護カバー２２等を配置（セット）できるようにしてある。パネル１８はプラスチック製のシートや薄板などであり、前面に商品写真や商品価格などを表示してある。パネル１８は紙製など、プラスチック以外の材質製とすることもできるが、内照式の看板の場合は、背面側から照射される光を透過可能な透明或いは半透明の材質製とするのが望ましい。
【００３３】
前記説明では、天吊り枠の高さと前傾角度の双方を調節可能とした場合について説明してあるが、本発明では、前傾角度のみを調節可能とし、高さ調節は天吊り棒の長さを変えて調節することもできる。
【産業上の利用可能性】
【００３４】
本発明の天井からの看板吊下げ構造及び看板吊下げ具は、前記した店舗以外の建物内に装備することもできる。例えば、駅構内、空港内等の公共施設の案内看板、その他の施設の宣伝用看板といった、各種分野の吊下げ看板用として利用することができる。
【符号の説明】
【００３５】
１    架設材
２    天吊り棒
３    天吊り枠
４    連結具
５    看板
６    中空パイプ
７    凹溝
７ａ （天吊り棒の前面の）凹溝
７ｂ （天吊り棒の背面の）凹溝
７ｃ （縦材の）凹溝
８    鍔
９    ネジ棒
１０  （天吊り枠の）横材
１１  （天吊り枠の）縦材
１２  縦スライド板
１３  傾斜スライド板
１４  縦突板
１５  傾斜突板
１６  ピン
１７  枠本体
１８  パネル
１９  パネル枠
２０  フレーム材
２１  裏蓋
２２  保護カバー
Ｆ    フック
Ｕ    フランジ
Ｖ    吊り具
Ｗ    野縁受け
Ｘ    野縁
【図１】
0005643352.tif 000002
【図２】
0005643352.tif 000003
【図３】
0005643352.tif 000004
【図４】
0005643352.tif 000005
【図５】
0005643352.tif 000006